(57)【特許請求の範囲】
【請求項１】
決済カードをエミュレートするカードエミュレート機能を有する通信端末装置であって、
決済用端末装置との間で近距離無線通信を行う近距離無線通信手段を備え、
移動体通信ネットワークを介した通信サービスの加入者識別情報が記憶されたＩＣモジュールが装置本体に着脱可能に構成され、
前記ＩＣモジュールは、
複数種類の決済カードそれぞれについてカードエミュレート機能を利用するためのカード情報及び個別プログラムと、該複数種類の決済カードのカードエミュレート機能それぞれの所定条件下における有効及び無効の状態を管理するための状態管理情報とを記憶する記憶手段を備え、
前記装置本体は、
前記近距離無線通信手段で決済用端末装置との間で近距離無線通信を行ったとき、前記ＩＣモジュールの記憶されている、前記決済用端末装置に対応する決済カードのカードエミュレート機能の状態管理情報を確認し、前記決済用端末装置に対応する決済カードのカードエミュレート機能が有効になっている場合は、その決済カードのカード情報及び個別プログラムに基づいて前記決済用端末装置と近距離無線通信を行って該決済カードによる決済処理を実行できるように該決済カードのカードエミュレート機能のＵＩアプリケーションを起動し、前記決済用端末装置に対応する決済カードのカードエミュレート機能が無効になっている場合は、その決済カードのカードエミュレート機能のＵＩアプリケーションを起動しないように制御することを特徴とする通信端末装置。
【請求項２】
請求項１の通信端末装置において、
電源供給手段と、
利用者が操作可能な電源スイッチと、
前記電源スイッチがＯＦＦにされているとき、前記決済カードによる決済処理を実行できるように前記近距離無線通信手段に対しては前記電源供給手段からの電力供給を継続するように制御する電源制御手段と、
前記電源スイッチがＯＦＦにされている条件下において、前記状態管理情報に基づいて、前記複数種類の決済カードのうち一部の決済カードについてはカードエミュレート機能を有効にし、他の決済カードについてはカードエミュレート機能を無効にすることを特徴とする通信端末装置。
【請求項３】
請求項１又は２の通信端末装置において、
利用者が操作可能な操作手段と、
前記操作手段の操作が規制された操作規制状態を有し、所定の利用者操作によって前記操作規制状態を解除するように制御する操作制御手段と、
前記操作規制状態にある条件下において、前記状態管理情報に基づいて、前記複数種類の決済カードのうち一部の決済カードについてはカードエミュレート機能を有効にし、他の決済カードについてはカードエミュレート機能を無効にすることを特徴とする通信端末装置。
【請求項４】
請求項１乃至３のいずれかの通信端末装置において、
前記状態管理情報で管理される前記複数種類の決済カードのカードエミュレート機能それぞれの有効と無効とを切り換える切り換え手段を更に備えることを特徴とする通信端末装置。
【請求項５】
請求項１乃至４のいずれかの通信端末装置において、
前記カードエミュレート機能を無効にする決済カードは、クレジットカード又は電子マネーのカードであることを特徴とする通信端末装置。
【請求項６】
請求項１乃至５のいずれかの通信端末装置において、
前記近距離無線通信は、ＮＦＣ（Ｎｅａｒ  Ｆｉｅｌｄ  Ｃｏｍｍｕｎｉｃａｔｉｏｎ）の規格に準拠した通信であり、
前記状態管理情報は、グローバルプラットフォームの規格で定義されているＣＲＳ（Ｃｏｎｔａｃｔｌｅｓｓ  Ｒｅｇｉｓｔｒｙ  Ｓｅｒｖｉｃｅ）アプレットに設定されたプロパティ情報であることを特徴とする通信端末装置。
【請求項７】
請求項１乃至６のいずれかの通信端末装置と、該通信端末装置における前記カードエミュレート機能を管理する管理サーバとを備え、前記通信端末装置は、通信ネットワークを介して前記管理サーバと通信するネットワーク通信手段を備えることを特徴とする電子決済システム。
【発明の詳細な説明】
【技術分野】
【０００１】
本発明は、通信ネットワークを介して通信可能な通信端末装置及びその通信端末装置を用いた決済システムに関するものである。
【背景技術】
【０００２】
従来、この種の通信端末装置として、クレジットカード、電子マネーのカード、交通系のプリペイドカードなどの複数種類のプラスチックカードやＩＣカード（以下「決済カード」という。）をエミュレートする機能（以下「カードエミュレート機能」という。）を有する携帯電話機やスマートフォン等の通信端末装置が知られている（例えば、非特許文献１参照）。この通信端末装置では、利用者が商品を購入したりサービスを利用したりしたときに店舗等の決済端末装置にかざして近距離無線通信を行うことにより、その商品購入やサービス利用の料金について決済を済ませることができる。
【発明の概要】
【発明が解決しようとする課題】
【０００３】
上記従来の通信端末装置では、所定条件下において、複数種類の決済カードの一部についてはカードエミュレート機能を使用できる有効にしておき、他の決済カードについてカードエミュレート機能を使用できない無効にしておきたい場合がある。
【０００４】
例えば、交通系カードのカードエミュレート機能については、電源スイッチをＯＮにしたり操作ロック状態を解除したりする操作やパスワードを入力する操作が必要になると、駅等の改札ゲートをスムーズに通過することができず、利便性に欠ける。そのため、このような交通系カードのカードエミュレート機能については、電源スイッチのＯＦＦ状態や操作ロック状態にある条件下でもカードエミュレート機能を使用できるように有効にしておくことで、駅の改札ゲートをスムーズに通過することができるようになり、利便性を高めることができる。
【０００５】
一方、クレジットカードや電子マネーカードなどのセキュリティの要求度が高い決済カードのカードエミュレート機能については、電源スイッチのＯＦＦ状態や操作ロック状態にある通信端末装置を落としたり盗まれたりしたとき、その通信端末装置の通常の操作はできないにもかかわらず、クレジットカードなどのカードエミュレート機能が他人に悪用されるおそれがある。そのため、このようなクレジットカードなどのセキュリティの要求度が高い決済カードのカードエミュレート機能については、電源スイッチのＯＦＦ状態や操作ロック状態にある条件下でカードエミュレート機能を使用できないように無効にしておくことで、セキュリティを高めることができる。
【０００６】
しかしながら、上記従来の通信端末装置では、電源スイッチのＯＦＦ状態や操作ロック状態にある条件下において、複数種類の決済カードのすべてのカードエミュレート機能が一律に有効になるか又は一律に無効になってしまうという課題がある。
【０００７】
本発明は以上の問題点に鑑みなされたものであり、その目的は、複数種類の決済カードのカードエミュレート機能それぞれについて所定条件下における有効及び無効を個別に設定可能な通信端末装置及び決済システムを提供することである。
【課題を解決するための手段】
【０００８】
本発明の一態様に係る通信端末装置は、決済カードをエミュレートするカードエミュレート機能を有する通信端末装置であって、複数種類の決済カードそれぞれについてカードエミュレート機能を利用するためのカード情報及び個別プログラムと、該複数種類の決済カードのカードエミュレート機能それぞれの所定条件下における有効及び無効の状態を管理するための状態管理情報とを記憶する記憶手段と、決済用端末装置との間で近距離無線通信を行う近距離無線通信手段と、前記複数種類の決済カードそれぞれについて、前記カード情報及び個別プログラムに基づいて前記決済用端末装置と近距離無線通信を行うことにより、該決済カードによる決済処理を実行する決済処理手段と、を備え、前記決済処理手段は、前記状態管理情報に基づいて、前記複数種類の決済カードのうち一部の決済カードについてはカードエミュレート機能を有効にし、他の決済カードについてはカードエミュレート機能を無効にする。
【０００９】
前記通信端末装置において、電源供給手段と、利用者が操作可能な電源スイッチと、前記電源スイッチがＯＦＦにされているとき、前記近距離無線通信手段及び前記決済処理手段に対しては前記電源供給手段からの電力供給を継続するように制御する電源制御手段と、前記決済処理手段は、前記電源スイッチがＯＦＦにされている条件下において、前記状態管理情報に基づいて、前記複数種類の決済カードのうち一部の決済カードについてはカードエミュレート機能を有効にし、他の決済カードについてはカードエミュレート機能を無効にしてもよい。
また、前記通信端末装置において、利用者が操作可能な操作手段と、前記操作手段の操作が規制された操作規制状態を有し、所定の利用者操作によって前記操作規制状態を解除するように制御する操作制御手段と、前記決済処理手段は、前記操作規制状態にある条件下において、前記状態管理情報に基づいて、前記複数種類の決済カードのうち一部の決済カードについてはカードエミュレート機能を有効にし、他の決済カードについてはカードエミュレート機能を無効にしてもよい。
また、前記通信端末装置において、前記状態管理情報で管理される前記複数種類の決済カードのカードエミュレート機能それぞれの有効と無効とを切り換える切り換え手段を更に備えてもよい。
また、前記通信端末装置において、前記所定条件下においてカードエミュレート機能を無効にする前記一部の決済カードは、クレジットカード又は電子マネーのカードであってもよい。
また、前記通信端末装置において、通信ネットワークを介した通信サービスの加入者識別情報が記憶されたＩＣ（Ｉｎｔｅｇｒａｔｅｄ  Ｃｉｒｃｕｉｔ）モジュールが装置本体に着脱可能に構成され、前記記憶手段は、前記ＩＣモジュール内に設けられていてもよい。
また、前記通信端末装置において、前記近距離無線通信は、ＮＦＣ（Ｎｅａｒ  Ｆｉｅｌｄ  Ｃｏｍｍｕｎｉｃａｔｉｏｎ）の規格に準拠した通信であり、前記状態管理情報は、グローバルプラットフォームの規格で定義されているＣＲＳ（Ｃｏｎｔａｃｔｌｅｓｓ  Ｒｅｇｉｓｔｒｙ  Ｓｅｒｖｉｃｅ）アプレットに設定されたプロパティ情報であってもよい。
【００１０】
また、本発明の他の態様に係る電子決済システムは、前記通信端末装置のいずれかと、該通信端末装置における前記カードエミュレート機能を管理する管理サーバとを備え、前記通信端末装置は、通信ネットワークを介して前記管理サーバと通信するネットワーク通信手段を備える。
【発明の効果】
【００１１】
本発明によれば、複数種類の決済カードのカードエミュレート機能それぞれについて所定条件下における有効及び無効の状態を管理するための状態管理情報を記憶し、この状態管理情報に基づいて、複数種類の決済カードのうち一部の決済カードについては所定条件下におけるカードエミュレート機能を有効にし、他の決済カードについては所定条件下におけるカードエミュレート機能を無効にすることができる。従って、複数種類の決済カードのカードエミュレート機能それぞれについて所定条件下における有効及び無効を個別に設定することができる、という効果を奏する。
【図面の簡単な説明】
【００１２】
【図１】本実施形態に係る通信端末装置を用いて電子決済することができる電子決済システムの一例を示す概略構成図。
【図２】本実施形態の通信端末装置のハードウェア構成の一例を示すブロック図。
【図３】本実施形態の通信端末装置に装着されているＵＳＩＭの主要構成の一例を示すブロック図。
【図４】本実施形態の通信端末装置に装着されたＵＳＩＭにおけるＮＦＣの近距離無線通信を用いた非接触の電子決済サービスに関するソフトウェアの構成の一例を示すブロック図。
【図５】本実施形態の通信端末装置において非接触の電子決済サービスの利用登録を行うときの処理の一例を示すシーケンス図。
【図６】（ａ）〜（ｄ）は、電子決済サービスの利用登録時における通信端末装置の画面遷移の一例を示す説明図。
【図７】本実施形態の通信端末装置において電源スイッチＯＦＦ時におけるＡカード（クレジットカード）のカードエミュレート機能の有効及び無効の状態を確認する処理の一例を示すシーケンス図。
【図８】本実施形態の通信端末装置において電源スイッチＯＦＦ時におけるＣカード（交通系のプリペイドカード）のカードエミュレート機能を使用して非接触の電子決済サービスを利用するときの処理の一例を示すシーケンス図。
【発明を実施するための形態】
【００１３】
以下、図面を参照しながら本発明の実施形態について説明する。
図１は、本実施形態に係る通信端末装置を用いて電子決済することができる電子決済システムの一例を示す概略構成図である。この電子決済システムは、クレジットカードや電子マネーのＩＣカード等の決済カードをエミュレートするカードエミュレート機能を有する携帯電話機やスマートフォン等の通信端末装置１０を用いて各種の商品やサービスの料金の支払いが可能になるサービスを提供するシステムである。電子決済システムは、通信端末装置１０、その通信端末装置１０との間で通信可能に通信ネットワーク上に設けられた管理サーバ２０、２５、各種施設や店舗等に設置された電子決済サービスの決済用端末装置であるリーダ／ライタ装置（以下「Ｒ／Ｗ装置」という。）３０等で構成されている。
【００１４】
管理サーバ２０、２５、２６は、例えばＷＥＢ機能を具備したサーバで構成され、移動体通信ネットワーク４０を介して通信端末装置１０との間で通信可能に構成されている。管理サーバ２０、２５、２６と通信端末装置１０との間の通信プロトコルとしては、例えばＨＴＴＰ（HyperText Transfer Protocol ）が用いられる。これらの管理サーバ２０、２５、２６のうち、移動体通信事業者２０Ａによって管理・運営されるＭＮＯ−ＴＳＭ（Mobile Network Operator - Trusted Service Manager）サーバ２０は、電子決済サービスに必要な各種データやプログラムが格納される通信端末装置１０内の安全なメモリ領域へのアクセス権限を管理するサーバである。また、クレジットカードや電子マネーのＩＣカード等の決済カードを発行しているカード決済サービス提供事業者２５Ａによって管理・運営されるＳＰ−ＴＳＭ（Service Provider - Trusted Service Manager）サーバ２５は、ＭＮＯ−ＴＳＭ２０を介して通信端末装置１０と通信することにより、電子決済サービスの利用登録などを行うサーバである。また、カード決済サービス提供事業者２５Ａによって管理・運営されるサービス提供サーバであるＳＰ（Service Provider）サーバ２６は、Ｒ／Ｗ装置３０と通信することにより、電子決済サービスの利用者認証や決済処理などを行うサーバである。なお、ＭＮＯ−ＴＳＭサーバ２０及びＳＰ−ＴＳＭサーバ２５の２つの機能を有する単一の管理サーバや、ＭＮＯ−ＴＳＭサーバ２０、ＳＰ−ＴＳＭサーバ２５及びＳＰサーバ２６の３つの機能を有する単一の管理サーバを設けてもよい。
【００１５】
Ｒ／Ｗ装置３０は、各種施設や店舗等に設置された決済用端末装置であり、通信端末装置１０と通信するための通信モジュール３１を備えている。このＲ／Ｗ装置３０としては、駅の改札ゲート装置のほか、バスなどの中にある運賃収受機や乗車口カード読み取り装置、駅やイベント会場等の発券装置、金融機関等の自動現金支払装置、店舗などのレジ装置、高速道路のＥＴＣの基地局などがある。
【００１６】
また、Ｒ／Ｗ装置３０は、通信端末装置１０との間で所定の近距離無線通信方式で無線通信することにより各種データを送受信することができる。この近距離無線通信方式としては、各種通信方式を用いることができるが、本実施形態では、ＴｙｐｅＡ、ＴｙｐｅＢ、ＦｅｌｉＣａ（登録商標）等のＮＦＣ（Near Field Communication）の通信方式を用いている（ＩＳＯ１４４４３Ａ，ＩＳＯ１４４４３Ｂ，ＩＳＯ７８１６，ＩＳＯ１５６９３，ＩＳＯ１８０９２，ＩＳＯ２１４８１参照）。上記近距離無線通信方式としては、ブルートゥース（登録商標）、ＷｉＦｉ、ワイヤレスＵＳＢ、ＥＴＣ等の電波を用いた通信方式、赤外線を用いた通信方式、可視光を用いた通信方式等の他の通信方式を用いてもよい。また、Ｒ／Ｗ装置３０と通信端末装置１０との間のデータ転送には所定の通信プロコルが用いられ、その転送方式としては、シリアルデータ転送方式の他、多重転送方式、時分割転送方式等を採用することができる。
【００１７】
また、Ｒ／Ｗ装置３０は、例えば図示しないコンピュータ装置にシリアルケーブル等で接続され、そのコンピュータ装置を介して、例えば固定電話回線やインターネットなどのネットワーク５０上に構築された専用通信回線を介してＳＰサーバ２６と通信可能に構成されている。ＳＰサーバ２６とＲ／Ｗ装置３０との間の通信プロトコルとしては、例えばＨＴＴＰの他、ＦＴＰやＴＥＬＮＥＴ、又は独自の通信プロトコルが用いられる。これらプロトコルを使用して、Ｒ／Ｗ装置３０は、電子決済サービス関連のデータ、決済処理要求及び決済完了通知などをＳＰサーバ２６との間でやり取りすることができる。なお、上記ネットワーク５０の代わりに、移動体通信ネットワーク４０を利用するようにしてもよいし、他の通信ネットワークを利用するようにしてもよい。
【００１８】
通信端末装置１０は、移動体通信ネットワーク４０の基地局４１を介して、ＭＮＯ−ＴＳＭサーバ２０及びＳＰ−ＴＳＭサーバ２５と通信することができる。この通信端末装置１０には、電子決済サービスを利用するためのソフトウェアであるアプリケーションプログラムが組み込まれている。また、通信端末装置１０に装着されている着脱可能なＩＣモジュールであるＵＳＩＭ（Universal Subscriber Identity Module）には、移動体通信サービスを利用するための加入者識別情報等とともに、利用者が決済で使用可能なクレジットカードや電子マネーのカード等の複数種類の決済カードそれぞれのカード情報や個別プログラムであるアプレットが格納されている。
【００１９】
以下、アプリケーションプログラムは適宜「アプリケーション」と略し、上記電子決済関連の情報を管理するソフトウェアであるアプリケーションプログラムは、「電子決済アプリケーション」という。本実施形態では、この電子決済アプリケーションとして、ＪＡＶＡ（登録商標）やＣ＋＋等のオブジェクト指向プログラミングで開発された、プラットフォームに依存しないアプリケーションプログラムを用いている。これらのアプリケーションプログラムは、通信ネットワーク上のサーバから適宜ダウンロードして通信端末装置１０内に登録することができ、それらの中から利用者が選択して実行することができる。利用者が選択したアプリケーションプログラムは、通信端末装置１０に構築されたＪＡＶＡ実行環境などのアプリケーション実行環境上で実行される。
【００２０】
図２は、本実施形態の通信端末装置１０のハードウェア構成の一例を示すブロック図である。この通信端末装置１０は、主制御部１１０と無線通信部１１１とベースバンド処理部１１２と音入出力部１１３と表示部１１４と操作手段としての操作部１１５とを備える。また、通信端末装置１０は、装置本体に対して着脱可能なＩＣモジュールとしてのＵＳＩＭ１５が装着されている。ＵＳＩＭ１５は、後述のようにＲ／Ｗ装置３０との間で近距離無線通信可能な機能を有している。
【００２１】
主制御部１１０は、ＭＰＵ（Micro Processing Unit）、ＲＡＭ、ＲＯＭ等を備え、所定の基本ＯＳやミドルウェア等のプログラムが実行されることにより、ベースバンド処理部１１２等の各部を制御したり、ソフトウェア構成上のネイティブプラットフォーム環境やアプリケーション実行環境を構築したりする。
【００２２】
無線通信部１１１は、移動体通信ネットワーク４０を介して通信するネットワーク通信手段として機能し、例えばシンセサイザ、周波数変換器，高周波増幅器などにより構成され、移動体通信ネットワーク４０の基地局４１との間で無線通信するための高周波信号処理を実行する。
【００２３】
ベースバンド処理部１１２は、他の携帯電話機等の通信端末装置や各種サーバとの間で音声通信やデータ送受信の通信を行うためのデジタル処理を実行する。このベースバンド処理部１１２と上記無線通信部１１１との間はＤ／Ａ変換器やＡ／Ｄ変換器を介して接続されている。
【００２４】
音入出力部１１３は、マイク、スピーカ、音信号処理部等で構成されている。マイクから出力されるアナログの音声信号は、音信号処理部でデジタル信号に変換され、主制御部１１０やベースバンド処理部１１２等に送られる。スピーカは、音信号処理部でデジタル信号から変換されたアナログ信号が入力され、通話中の音声を出力したり、メールの着信音、電話の呼び出し音、音楽などを出力したりする。なお、スピーカは、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００２５】
表示部１１４は、ＬＣＤ（液晶ディスプレイ）等で構成され、主制御部１１０からの指令に基づいて各種画像を表示する。
【００２６】
操作部１１５は、表示部１１４に組み込まれたタッチパネルや、各種の操作キーやボタン、電源ＯＮ／ＯＦＦ手段としての電源スイッチなどで構成されている。この操作部１１５は、利用者が、通信端末装置１０の本体電源をＯＮ／ＯＦＦしたり、通話開始、終話、メニュー選択、画面切り換え等を指示したり、情報を入力したりするときに用いられる。
【００２７】
また、通信端末装置１０は、位置情報取得手段としてのＧＰＳ（Global Positioning System）部１１７、撮像手段としてのカメラ部１１８、センサー部１１９、電源供給手段としての電源供給部１２０、図示しない時計部等も備えている。
【００２８】
ＧＰＳ部１１７は、ＧＰＳ受信モジュールやＧＰＳアンテナ等で構成され、地球の周りに配置されている複数のＧＰＳ衛星から電波を受信し、その受信結果に基づいて通信端末装置１０が位置する緯度、経度及び高度のデータを算出する。
【００２９】
カメラ部１１８は、レンズや撮像デバイス等で構成され、人物や風景等を撮影する時に用いられる。撮像デバイスとしては、ＣＣＤ（Charge Coupled Device）カメラやＣＭＯＳカメラを用いることができる。
【００３０】
センサー部１１９は、加速度センサー及び／又は地磁気センサー等で構成されている。加速度センサーは、１軸の加速度センサーであっていいし、２軸や３軸等の複数軸の加速度センサーであってもよい。また、地磁気センサーも、１軸の地磁気センサーであっていいし、２軸や３軸等の複数軸の地磁気センサーであってもよい。このセンサー部１１９の出力に基づいて、通信端末装置１０の位置、向き、姿勢及び動きを示すデータを算出することができる。また、センサー部１１９の出力に基づいて、所定高度における基準位置から利用者の通信端末装置１０が移動したときの加速度データや地磁気データの時間変化の情報である履歴情報から、通信端末装置１０が位置している高度、角度等を示すデータを算出することができる。
【００３１】
電源供給部１２０は、充電可能なバッテリー、バッテリーから各部に所定電圧の電力を供給する電力供給回路、バッテリーを充電する充電回路などを備えている。また、電源供給部１２０は、通信端末装置１０における主要部すなわち音入出力部１１３、表示部１１４、操作部１１５の一部、ＧＰＳ部１１７、カメラ部１１８及びセンサー部１１９への電力供給については、前述の利用者が操作可能な電源スイッチによりＯＮ／ＯＦＦできるように構成されている。但し、電源スイッチのＯＦＦ時に一部の決済カードのカードエミュレート機能を動作させるために、電源供給部１２０は、電源スイッチのＯＦＦ時においても無線通信部１１１、ベースバンド処理部１１２及びＵＳＩＭ１５への電力供給を継続して行うように構成されている。
【００３２】
時計部はクロック回路等で構成され、正確な日時を計数し、更新処理等のための時刻情報を生成する。
【００３３】
図３は、本実施形態の通信端末装置１０に装着されているＵＳＩＭ１５の主要構成の一例を示すブロック図である。ＵＳＩＭ１５は、例えばＩＣモジュールで構成され、ＣＰＵなどからなる制御部１５０と、ＲＯＭやＲＡＭなどからなる記憶手段としての記憶部１５１と、通信端末装置本体と通信するためのＩ／Ｏインターフェース部１５２と、前述のＮＦＣによりＲ／Ｗ装置３０と近距離無線通信する近距離無線通信手段としてのＮＦＣ通信部１５３とを備えている。
【００３４】
ＵＳＩＭ１５の制御部１５０はＮＦＣアプレットが実行されるとともに、対応するカードのＵＩアプリケーションが実行される装置本体側の主制御部１１０と協働することにより、決済カードによる決済処理を実行する決済処理手段として機能する。
【００３５】
ＮＦＣ通信部１５３は、例えば専用ＩＣチップからなり、Ｒ／Ｗ装置３０との間で、所定通信プロトコルによる通信を行うためのアンテナや無線通信回路を有している。
【００３６】
記憶部１５１は、主に制御部１５０が制御に用いるアクセスコントロールなどの基本プログラムやデータが格納されたシステム領域１５１ａと、ＵＳＩＭ１５の利用者が各種のアプリケーションに使用するプログラムやデータが格納されたユーザ領域１５１ｂとを有している。システム領域１５１ａには、後述する複数種類の決済カードのカードエミュレート機能に対応するＮＦＣアプレットそれぞれの有効及び無効などの各種状態を管理する比較的小さなサイズのプログラムであるアプレットも格納されている。この状態管理のアプレットとしては、例えば後述の「ＪＡＶＡ  Ｃａｒｄ  Ｒｕｎｔｉｍｅ  Ｅｎｖｉｒｏｎｍｅｎｔ」上に構築される「グローバルプラットフォーム」で規定されている「ＣＲＳ」（Contactless Registry Service）アプレットを用いることができる。このＣＲＳアプレットは、複数種類の決済カードのカードエミュレート機能それぞれの所定条件下における有効の状態（「アクティブ状態」ともいう。）及び無効の状態（「非アクティブ状態」ともいう。）を管理するための状態管理情報として利用可能なプロパティ情報が設定されている。
【００３７】
なお、本実施形態では、複数種類の決済カードのカードエミュレート機能それぞれの有効及び無効の状態が管理される上記所定条件が、電源スイッチがＯＦＦされている状態にあるという条件である場合について説明するが、この条件に限定されるものではない。例えば、上記所定条件が、電源スイッチがＯＮされ且つ操作部の操作が規制された操作規制状態としての操作ロック状態にあるという条件であってもよい。
【００３８】
ユーザ領域１５１ｂは、特定の権限を有する利用者やサーバのみアクセスできる安全な領域（「ＳＥ：Secure Element」や「ＳＤ：Secure Domain」とも呼ばれる。）になっている。本実施形態では、ユーザ領域１５１ｂに、Ｒ／Ｗ装置３０と通信することによりクレジットカードや電子マネーのカードなどの決済カード（プラスチックカード、ＩＣカード）をエミュレートするカードエミュレート機能を実現するためのプログラムであるＮＦＣアプレットとユーザ固有情報であるカード情報とが格納されている。ここで、上記カードエミュレート機能は、通常のクレジットカードや電子マネーのカードなどの決済カード（プラスチックカード、ＩＣカード）と同様に商品やサービスの支払いの決済に通信端末装置１０を用いることができるようにした機能である。
【００３９】
複数の決済カードによる決済をエミュレートする場合、ユーザ領域１５１ｂに格納されるＮＦＣアプレット及びカード情報は、決済カード毎に互いに異なる領域に格納され、決済カードを発行している決済サービス提供事業者ごとにアクセス権限が管理されている。図３の例では、３種類の決済カード（Ａカード、Ｂカード、Ｃカード）それぞれのＮＦＣアプレット及びカード情報が互いに異なる領域に格納され、例えばＡカードを発行している決済サービス提供事業者は、Ａカード用に設定された領域のＮＦＣアプレットＡ及びＡカード情報のみにアクセスすることができる。
【００４０】
表１は、前述のＣＲＳアプレットで管理される複数種類の決済カード（Ａカード、Ｂカード、Ｃカード）それぞれのＮＦＣアプレットの状態管理情報の一例を示す一覧表である。表１中の状態管理情報の欄における「１」は、電源スイッチＯＦＦの条件下で、ＮＦＣアプレットがアクティブであり、そのＮＦＣアプレットによる決済カードのカードエミュレート機能が利用できる有効の状態であることを示している。一方、「０」は、電源スイッチＯＦＦの条件下で、ＮＦＣアプレットが非アクティブであり、そのＮＦＣアプレットによる決済カードのカードエミュレート機能が利用できない無効の状態であることを示している。
【表１】
0006029613.tif 000002
【００４１】
表１の例において、例えば、ＣＲＳアプレットで管理されているＡカード及びＢカードの状態管理情報が「０」であることにより、Ａカード及びＢカードのカードエミュレート機能は電源スイッチＯＦＦの条件下で無効であって使用できない。一方、ＣＲＳアプレットで管理されているＣカードの状態管理情報が「１」であることにより、Ｃカードのカードエミュレート機能は電源スイッチＯＦＦの条件下でも有効であって使用できる。
【００４２】
図４は、本実施形態の通信端末装置１０に装着されたＵＳＩＭ１５におけるＮＦＣの近距離無線通信を用いた非接触の電子決済サービスに関するソフトウェアの構成の一例を示すブロック図である。
図４において、ＵＳＩＭ１５の物理層におけるＮＦＣの近距離無線通信を制御するアクセスコントロール上に、ミドルウェア（例えば、決済カードのためのＩＣカード仕様である「ＥＭＶ」に準拠したミドルウェア）を介して、ＩＣカードプラットフォーム（例えば、ＪＡＶＡのＡＰＩ仕様に従った環境を提供する「ＪＡＶＡカード」）が構築される。このＩＣカードプラットフォーム上に、決済用ＩＣカードプラットフォーム（例えば、「ＶＩＳＡオープンプラットフォーム」）を介して、非接触カードプラットフォーム（例えば、「グローバルプラットフォーム）が構築される。この非接触カードプラットフォーム上で、複数の決済カード（例えば、前述のＡカード、Ｂカード、Ｃカード）それぞれのカード決済用のＮＦＣアプレットなどを実行することができる。
【００４３】
図５は、本実施形態の通信端末装置１０において非接触の電子決済サービスの利用登録を行うときの処理の一例を示すフローチャートである。図６（ａ）〜（ｄ）は、電子決済サービスの利用登録時における通信端末装置の画面遷移の一例を示す説明図である。なお、図５及び図６は、駅の改札ゲートで決済可能な交通系のプリペイドカードであるＣカードの電子決済サービスの利用登録を行うときの例である。
【００４４】
図５において、まず、利用者が通信端末装置１０を操作してブラウザを起動し、カード選択のＷＥＢサイトにアクセスすると、図６（ａ）に示すようなカード選択画面１６１が表示される。このカード選択画面１６１上で利用者がＣカードを選択する操作を行うと、Ｃカードの電子決済サービスを利用するためのユーザインターフェース（ＵＩ）アプリケーションが通信端末装置１０にダウンロードされ、利用者の操作により又は自動的に起動される。ダウンロードしたＵＩアプリケーションが起動すると、図６（ｂ）に示すＣカードの電子決済サービスの利用登録画面１６２が表示される。この利用登録画面１６２で、Ｃカードの電子決済サービスの利用登録を要求する所定操作を行うと、通信端末装置１０からＭＮＯ−ＴＳＭサーバ２０にサービス利用登録要求が送信される。
【００４５】
ＭＮＯ−ＴＳＭサーバ２０は、所定の認証処理を行った後、Ｃカードの電子決済サービスを利用するときに使用されるＣカード用のＮＦＣアプレットＣを、通信端末装置１０に送信する。通信端末装置１０が受信したＣカード用のＮＦＣアプレットＣは、ＵＳＩＭ１５に送られてインストールされる。
【００４６】
ＵＳＩＭ１５では、記憶部１５１のユーザ領域１５１ｂ内にＣカード用の領域が設定され、そのＣカード用の領域内にＮＦＣアプレットＣが格納されるとともに、利用者のＣカードのカード情報などのユーザ固有情報を格納するための領域が設定される。
【００４７】
次に、通信端末装置１０は、ＭＮＯ−ＴＳＭ２０を介して、Ｃカードのカード決済サービス提供事業者のＳＰ−ＴＳＭサーバ２５に利用登録要求を送信する。ＳＰ−ＴＳＭサーバ２５は、利用登録要求に基づいて、所定の認証処理を実行した後、通信端末装置１０の利用者についてＣカードの電子決済サービスの利用登録処理を実行し、当該利用者のＣカードのカード情報を含む利用者固有データを通信端末装置１０に送信する。
【００４８】
通信端末装置１０が受信したＣカードのユーザ固有情報は、ＵＳＩＭ１５に送られ、記憶部１５１のユーザ領域１５１ｂにおけるＣカード用に設定された領域に書き込まれる。その後、図６（ｃ）に示すＣカードの電子決済サービスの利用登録完了の画面１６３が通信端末装置１０に表示される。この利用登録完了の画面で利用者が所定の確認操作を行うと、通信端末装置１０の電源スイッチがＯＦＦの場合でも使用できる決済カードとして、ＣＲＳアプレットにおけるＣカードの状態管理情報を設定する処理が実行される。そして、図６（ｄ）に示すように電源スイッチＯＦＦ時にもＣカードの電子決済サービスが利用可能になったことを示す画面１６４が表示される。
【００４９】
上記決済カードの状態管理情報の設定は、ＵＩアプリケーションに組み込まれている所定のアプリケーション・アクティベーション設定ＩＦ（例えば、前述の「ＥＭＶ」で規定されている「ＡＡＵＩ：Application Activation User Interface）を介して行われる。また、Ｃカードをアクティブ状態に設定するイベント（「ＥＶＥＮＴ＿ＡＣＴＩＶＡＴＥＤ」）は、前述のイベントリスナーのアプレット（例えば「ＣＲＥＬ」アプレット）によって検知され、通信端末装置１０の本体側のＵＩアプリケーションや、ＵＩアプリケーションに組み込まれている所定のアプリケーション・アクティベーション設定ＩＦ（例えば「ＡＡＵＩ」）に通知される。
【００５０】
図７は、本実施形態の通信端末装置において電源スイッチＯＦＦ後にＡカード（クレジットカード）のカードエミュレート機能のＵＩアプリケーションがバックグランドで起動されたときの処理の一例を示すシーケンス図である。なお、このＡカード（クレジットカード）のカードエミュレート機能は、前述の表１に示すように電源スイッチのＯＦＦ時の状態が無効（非アクティブ状態）に設定されている。
【００５１】
図７において、利用者が通信端末装置１０の電源スイッチをＯＦＦにした後、通信端末装置１０をＲ／Ｗ装置３０にかざすと、通信端末装置１０においてＡカード（クレジットカード）のカードエミュレート機能のＵＩアプリケーションがバックグランドで起動開始され、通信端末装置１０の本体からＵＳＩＭ１５に状態確認要求が送信される。ＵＳＩＭ１５は、ＣＲＳアプレットに設定されている電源スイッチＯＦＦ時のＡカード（クレジットカード）の状態管理情報を確認し、上記確認要求に対する応答として、無効に設定されている旨を示す確認結果を、通信端末装置１０の本体に送信する。通信端末装置１０の本体は、ＵＳＩＭ１５から受信した確認結果に基づいて、Ａカード（クレジットカード）のカードエミュレート機能のＵＩアプリケーションの起動を中止する。この結果、電源スイッチＯＦＦ後になんらかのイベントをトリガーとしてＡカード（クレジットカード）のカードエミュレート機能のＵＩアプリケーションが起動しようとしても、そのカードエミュレート機能の利用を防止できる。
【００５２】
図８は、本実施形態の通信端末装置１０において電源スイッチＯＦＦ時におけるＣカード（交通系のプリカード）のカードエミュレート機能を使用して非接触の電子決済サービスを利用するときの処理の一例を示すシーケンス図である。なお、このＣカード（交通系のプリカード）のカードエミュレート機能は、前述の表１に示すように電源スイッチのＯＦＦ時の状態が有効（アクティブ状態）に設定されている。
【００５３】
図８において、利用者が通信端末装置１０の電源スイッチをＯＦＦにした後、通信端末装置１０をＲ／Ｗ装置３０にかざすと、通信端末装置１０においてＣカード（交通系のプリペイドカード）のカードエミュレート機能のＵＩアプリケーションがバックグランドで起動開始され、通信端末装置１０の本体からＵＳＩＭ１５に状態確認要求が送信される。ＵＳＩＭ１５は、ＣＲＳアプレットに設定されている電源スイッチＯＦＦ時のＣカードの状態管理情報を確認し、上記確認要求に対する応答として、有効に設定されている旨を示す確認結果を、通信端末装置１０の本体に送信する。通信端末装置１０の本体は、ＵＳＩＭ１５から受信した確認結果に基づいて、Ｃカードのカードエミュレート機能のＵＩアプリケーションの起動を継続する。
【００５４】
次に、Ｒ／Ｗ装置３０から通信端末装置１０に装着されているＵＳＩＭ１５に、Ｃカードの電子決済サービスの利用を要求するサービス利用要求が送信される。
【００５５】
ＵＳＩＭ１５は、Ｒ／Ｗ装置３０からのサービス利用要求に基づいて、Ｃカードの電子決済サービスの利用に問題がないか否かについて判断し、問題がない場合は、当該電子決済サービスの利用に問題がない旨を示すサービス利用応答を、Ｒ／Ｗ装置３０に送信する。
【００５６】
Ｒ／Ｗ装置３０は、ＵＳＩＭ１５からのサービス利用応答に基づいて、Ｃカードのカード決済サービス提供事業者のＳＰサーバ２６に決済処理要求を送信する。
【００５７】
ＳＰサーバ２６は、Ｒ／Ｗ装置３０から受信した決済処理要求に基づいて決済処理を実行するとともに、決済完了通知をＲ／Ｗ装置３０に送信する。
【００５８】
Ｒ／Ｗ装置３０は、ＳＰサーバ２６から受信した決済完了通知に基づいて決済完了表示を行うとともに、決済完了通知を通信端末装置１０のＵＳＩＭ１５に送信する。
【００５９】
ＵＳＩＭ１５は、Ｒ／Ｗ装置３０から受信した決済完了通知を通信端末装置１０の本体に送信するとともに、その決済完了通知に基づいて、ＵＳＩＭ１５内に格納されているＣカードのユーザ固有データを更新する。通信端末装置１０は、ＵＳＩＭ１５から受信した決済完了通知に基づいて、決済完了表示を行う。
【００６０】
以上、本実施形態によれば、複数種類の決済カードのカードエミュレート機能それぞれについて電源スイッチＯＦＦ時における有効及び無効の状態を管理するための状態管理情報を記憶している。そして、この状態管理情報に基づいて、複数種類の決済カードのうち、利用者の利便性を優先する交通系のプリペイドなどの決済カードについては電源スイッチＯＦＦ時におけるカードエミュレート機能を有効にすることにより、利便性の低下を抑制することができる。一方、クレジットカードや電子マネーなどの高いセキュリティが要求される他の決済カードについては電源スイッチＯＦＦ時におけるカードエミュレート機能を無効にすることにより、セキュリティを確保し、カードエミュレート機能の悪用を防止できる。以上のように、複数種類の決済カードのカードエミュレート機能それぞれについて電源スイッチＯＦＦ時における有効及び無効を個別に設定することができる。
【００６１】
なお、上記実施形態では、Ｒ／Ｗ装置３０と近距離無線通信する近距離無線通信手段がＵＳＩＭ１５内に設けられている場合について説明したが、本発明は、Ｒ／Ｗ装置３０と近距離無線通信する近距離無線通信手段が通信端末装置１０の本体側に設けられている場合にも同様に適用することができる。
また、上記実施形態では、電源スイッチがＯＦＦされている条件下における複数種類の決済カードのカードエミュレート機能それぞれの有効及び無効の状態を管理しているが、他の条件下における複数種類の決済カードのカードエミュレート機能それぞれの有効及び無効の状態を管理してもよい。
例えば、電源スイッチがＯＮされ且つ操作部の操作が規制された操作規制状態としての操作ロック状態（ロック画面表示状態）にある条件における複数種類の決済カードのカードエミュレート機能それぞれの有効及び無効の状態を管理してもよい。この操作ロック状態（ロック画面表示状態）は、利用者が所定のロック解除操作（例えば所定のパスワード入力操作）を行うことで通常の操作可能な状態に戻すように解除することができる。この場合、複数種類の決済カードのうち、利用者の利便性を優先する交通系のプリペイドなどの決済カードについては操作ロック状態におけるカードエミュレート機能を有効にすることにより、利便性の低下を抑制することができる。一方、クレジットカードや電子マネーなどの高いセキュリティが要求される他の決済カードについては操作ロック状態におけるカードエミュレート機能を無効にすることにより、セキュリティを確保し、カードエミュレート機能の悪用を防止できる。以上のように、複数種類の決済カードのカードエミュレート機能それぞれについて操作ロック状態における有効及び無効を個別に設定することができる。
【符号の説明】
【００６２】
１０  通信端末装置
１５  ＵＳＩＭ
２０  ＭＮＯ−ＴＳＭサーバ
２５  ＳＰ−ＴＳＭサーバ
２６  ＳＰサーバ
３０  リーダ／ライタ装置（Ｒ／Ｗ装置）
４０  移動体通信ネットワーク
【先行技術文献】
【非特許文献】
【００６３】
【非特許文献１】「ソフトバンクモバイル、クレディセゾン、アメリカン・エキスプレス、ＡｎｄｒｏｉｄＴＭ  搭載スマートフォンを利用したＮＦＣサービスの実証実験を日本で開始」、［ｏｎｌｉｎｅ］、平成１１年１１月１５日、［平成２６年３月１８日検索］、インターネット〈ＵＲＬ：http://www.softbank.jp/corp/group/sbm/news/press/2011/20111115_01/〉
【図１】
0006029613.tif 000003
【図２】
0006029613.tif 000004
【図３】
0006029613.tif 000005
【図４】
0006029613.tif 000006
【図５】
0006029613.tif 000007
【図６】
0006029613.tif 000008
【図７】
0006029613.tif 000009
【図８】
0006029613.tif 000010